(57)【要約】      （修正有）【課題】物品の流通経路に関する情報を、統一された方法で蓄積し消費者に提供するトレーサビリティ提供システムを提供する。【解決手段】認証サーバ１００２−１において、第１の時刻Ｄａｔｅ１に、物品の特定部分を撮影した第１の画像に基づいて第１の認証情報を生成し、第１の時刻Ｄａｔｅ１と関連付ける。認証サーバ１００４−１において、第２の時刻Ｄａｔｅ２に、物品の特定部分を撮影して第２の画像を生成し、第２の時刻Ｄａｔｅ２と関連付け、第２の認証情報を認証サーバ１００２−１に送信する。第１の認証情報と第２の認証情報とが類似する場合、認証サーバ１００２−１において、第１の時刻Ｄａｔｅ１を第２の認証情報と関連付ける。【選択図】図５
2016031644.tif 000002
【特許請求の範囲】
【請求項１】
第１のコンピュータと第２のコンピュータとを含む、物品のトレーサビリティを提供するトレーサビリティ提供システムであって、
前記第１のコンピュータは、第１の時刻に、物品の特定部分を撮影した第１の画像に基づいて第１の認証情報を生成し、前記第１の時刻と関連付ける手段を含み、
前記第２のコンピュータは、
第２の時刻に、物品の特定部分を撮影した第２の画像に基づいて第２の認証情報を生成し、前記第２の時刻と関連付ける手段と、
前記第２の認証情報を前記第１のコンピュータに送信する手段と
を含み、
前記第１のコンピュータは、前記第１の認証情報と前記第２の認証情報とが類似する場合、前記第１の時刻を前記第２の認証情報と関連付ける手段をさらに含み、
前記第１のコンピュータおよび前記第２のコンピュータは、
第３のコンピュータから、第３の認証情報を含むトレーサビリティ提供の要求を受信する手段と、
前記第３の認証情報と前記第２の認証情報とが類似する場合、受信された前記要求に応答して、前記第２の認証情報に関連付けられた時刻の情報を前記第３のコンピュータに提供する手段と
をさらに含むことを特徴とするトレーサビリティ提供システム。
【請求項２】
前記第３のコンピュータは、前記第３の認証情報を、該第３の認証情報を生成した第３の時刻と関連付ける手段をさらに含み、
前記第１のコンピュータは、前記第１の認証情報と前記第３の認証情報とが類似する場合、前記第１の時刻を前記第３の認証情報と関連付ける手段をさらに含み、
前記第２のコンピュータは、前記第２の認証情報と前記第３の認証情報とが類似する場合、前記第２の時刻を前記第３の認証情報と関連付ける手段をさらに含むことを特徴とする請求項１に記載のトレーサビリティ提供システム。
【請求項３】
前記第１のコンピュータ、前記第２のコンピュータ、および前記第３のコンピュータは、
第４のコンピュータから、第４の認証情報を含むトレーサビリティ提供の要求を受信する手段と、
前記第４の認証情報と前記第３の認証情報とが類似する場合、受信された前記要求に応答して、前記第３の認証情報に関連付けられた時刻の情報を前記第４のコンピュータに提供する手段と
をさらに含むことを特徴とする請求項２に記載のトレーサビリティ提供システム。
【請求項４】
物品のトレーサビリティを提供するトレーサビリティ提供方法であって、
前記第１のコンピュータにおいて、第１の時刻に、物品の特定部分を撮影した第１の画像に基づいて第１の認証情報を生成し、前記第１の時刻と関連付けるステップと、
前記第２のコンピュータにおいて、第２の時刻に、物品の特定部分を撮影した第２の画像に基づいて第２の認証情報を生成し、前記第２の時刻と関連付けるステップと、
前記第２のコンピュータにおいて、前記第２の認証情報を前記第１のコンピュータに送信するステップと、
前記第１のコンピュータにおいて、前記第１の認証情報と前記第２の認証情報とが類似する場合、前記第１の時刻を前記第２の認証情報と関連付けるステップと、
前記第１のコンピュータおよび前記第２のコンピュータにおいて、
第３のコンピュータから、第３の認証情報を含むトレーサビリティ提供の要求を受信するステップと、
前記第３の認証情報と前記第２の認証情報とが類似する場合、受信された前記要求に応答して、前記第２の認証情報に関連付けられた時刻の情報を前記第３のコンピュータに提供するステップと
を含むことを特徴とするトレーサビリティ提供方法。
【請求項５】
前記第３のコンピュータにおいて、前記第３の認証情報を、該第３の認証情報を生成した第３の時刻と関連付けるステップと、
前記第１のコンピュータにおいて、前記第１の認証情報と前記第３の認証情報とが類似する場合、前記第１の時刻を前記第３の認証情報と関連付けるステップと、
前記第２のコンピュータにおいて、前記第２の認証情報と前記第３の認証情報とが類似する場合、前記第２の時刻を前記第３の認証情報と関連付けるステップと
をさらに含むことを特徴とする請求項４に記載のトレーサビリティ提供方法。
【請求項６】
前記第１のコンピュータ、前記第２のコンピュータ、および前記第３のコンピュータにおいて、
第４のコンピュータから、第４の認証情報を含むトレーサビリティ提供の要求を受信するステップと、
前記第４の認証情報と前記第３の認証情報とが類似する場合、受信された前記要求に応答して、前記第３の認証情報に関連付けられた時刻の情報を前記第４のコンピュータに提供するステップと
をさらに含むことを特徴とする請求項５に記載のトレーサビリティ提供方法。
【請求項７】
物品のトレーサビリティを提供するトレーサビリティ提供装置であって、
第１の時刻に、物品の特定部分を撮影した第１の画像に基づいて第１の認証情報を生成し、前記第１の時刻と関連付ける手段と、
第２の認証情報を受信する手段と、
前記第１の認証情報と前記第２の認証情報とが類似する場合、前記第１の時刻を前記第２の認証情報と関連付ける手段と、
前記第２の認証情報に関するトレーサビリティ提供の要求を受信する手段と、
トレーサビリティ提供の要求に応答して、前記第２の認証情報に関連付けられた第１の時刻を提供する手段と
を備えたことを特徴とするトレーサビリティ提供装置。
【請求項８】
トレーサビリティ提供装置が実行する物品のトレーサビリティ提供方法であって、
第１の時刻に、物品の特定部分を撮影した第１の画像に基づいて第１の認証情報を生成し、前記第１の時刻と関連付けるステップと、
第２の認証情報を受信するステップと、
前記第１の認証情報と前記第２の認証情報とが類似する場合、前記第１の時刻を前記第２の認証情報と関連付けるステップと、
前記第２の認証情報に関するトレーサビリティ提供の要求を受信するステップと、
トレーサビリティ提供の要求に応答して、前記第２の認証情報に関連付けられた第１の時刻を提供するステップと
を備えたことを特徴とするトレーサビリティ提供方法。
【請求項９】
コンピューティングシステムを、請求項１に記載のトレーサビリティ提供システムとして機能させるコンピュータプログラム。
【請求項１０】
コンピュータを、請求項７に記載のトレーサビリティ提供装置として機能させるコンピュータプログラム。
【発明の詳細な説明】
【技術分野】
【０００１】
本発明は、対象物のトラックアンドトレースの実現に関し、より詳細には、物品の流通経路に関する情報を提供するためのトレーサビリティ提供システム、トレーサビリティ提供装置およびトレーサビリティ提供方法に関する。
【背景技術】
【０００２】
従来から、食品、飲料、医薬、農産物等の物品の消費者に対する安全性や安心を提供する手段として、その物品の履歴に関する情報を提供するシステムが知られている。
【０００３】
このようなシステムとして、飲料の開発または製造に関する履歴を取り込んで、簡単にアクセスできるようにする方法が知られている（例えば、特許文献１参照）。
【０００４】
また、農作物の分野では、農産物の圃場ごとに実績データを記録し、作物の容器を付された品質保証番号をキーにして、データベースを検索できるようにしたシステムが知られている（例えば、特許文献２参照）。
【先行技術文献】
【特許文献】
【０００５】
【特許文献１】特表２０１０-５１１９２９号公報
【特許文献２】特開２００４−３３４４４６号公報
【特許文献３】国際公開番号第ＷＯ２００７／０１３４４４号公開パンフレット
【特許文献４】特開２０１１−１６５０９５
【発明の概要】
【発明が解決しようとする課題】
【０００６】
１つの物品が消費者の手元に届くまでには、物品はその製造者、配送業者、小売店舗といった、異なる当事者を経由して、消費者に至る。また、物品によっては複数の部品から構成されるものもあり、この場合には各部品が異なる流通経路を経由することになる。
【０００７】
しかしながら、このような流通経路の中では、対象物のトラックアンドトレース、物品の追跡可能性（トレーサビリティ）の管理が業者間で断絶しており、履歴情報を一元的に管理することができないという問題があった。
【０００８】
また、物品の履歴を管理する従来のシステムでは、物品に特定の識別情報を付しておき、この識別情報を識別することにより認証を行い、認証結果の情報を専用のリレーショナルデータベースに登録する方式をとっていた。しかしながら、人為的に付された識別情報は改ざんが容易であるという問題があった。
【０００９】
本発明はこのような問題に鑑みてなされたものであり、その目的とするところは、対象物のトラックアンドトレース、および物品の流通経路に関する情報を一元的に管理し、消費者に提供することができるトレーサビリティ提供システム、トレーサビリティ提供装置およびトレーサビリティ提供方法を提供することにある。
【課題を解決するための手段】
【００１０】
このような課題を解決するために、本発明では、物品の製造から使用に至る過程において、物品の特定部分を撮影し、各コンピュータが撮影された画像に基づいて認証情報を生成し、時刻と関連付けて登録していく（トラッキング）。物品を入手したユーザは、当該物品の特定部分を撮影した画像に基づいて新たな認証情報を生成し、この認証情報を用いてトレーサビリティ情報の提供を要求する。したがって、各コンピュータはトレーサビリティ情報の提供を行う際に、個体の認証を行うことになる。各個体から生成された認証情報は、画像の撮影条件や撮影部分の劣化・退色等により撮影の度に変化するものであるため、改ざんや、合成、生成ができない。このため、最新の認証情報を原本とすることにより、原本によって保証された物品の場所とその場所にあった日時を認証情報と関連付けて記憶し、要求に応じて提供することができる（トレース）。したがって、専用のリレーショナルデータベースを構築しなくても、個々の物品のトラックアンドトレースが可能となる。
【００１１】
本発明に係るトレーサビリティ提供システムは、第１のコンピュータと第２のコンピュータとを含む、物品のトレーサビリティを提供するトレーサビリティ提供システムであって、前記第１のコンピュータは、第１の時刻に、物品の特定部分を撮影した第１の画像に基づいて第１の認証情報を生成し、前記第１の時刻と関連付ける手段を含み、前記第２のコンピュータは、第２の時刻に、物品の特定部分を撮影した第２の画像に基づいて第２の認証情報を生成し、前記第２の時刻と関連付ける手段と、前記第２の認証情報を前記第１のコンピュータに送信する手段とを含み、前記第１のコンピュータは、前記第１の認証情報と前記第２の認証情報とが類似する場合、前記第１の時刻を前記第２の認証情報と関連付ける手段をさらに含み、前記第１のコンピュータおよび前記第２のコンピュータは、第３のコンピュータから、第３の認証情報を含むトレーサビリティ提供の要求を受信する手段と、前記第３の認証情報と前記第２の認証情報とが類似する場合、受信された前記要求に応答して、前記第２の認証情報に関連付けられた時刻の情報を前記第３のコンピュータに提供する手段とをさらに含む。
【００１２】
ここで、前記第３のコンピュータは、前記第３の認証情報を、該第３の認証情報を生成した第３の時刻と関連付ける手段をさらに含み、前記第１のコンピュータは、前記第１の認証情報と前記第３の認証情報とが類似する場合、前記第１の時刻を前記第３の認証情報と関連付ける手段をさらに含み、前記第２のコンピュータは、前記第２の認証情報と前記第３の認証情報とが類似する場合、前記第２の時刻を前記第３の認証情報と関連付ける手段をさらに含むものとすることができる。
【００１３】
ここで、前記第１のコンピュータ、前記第２のコンピュータ、および前記第３のコンピュータは、第４のコンピュータから、第４の認証情報を含むトレーサビリティ提供の要求を受信する手段と、前記第４の認証情報と前記第３の認証情報とが類似する場合、受信された前記要求に応答して、前記第３の認証情報に関連付けられた時刻の情報を前記第４のコンピュータに提供する手段とをさらに含むものとすることができる。
【００１４】
本発明の別の態様によれば、本発明に係るトレーサビリティ提供方法は、物品のトレーサビリティを提供するトレーサビリティ提供方法であって、前記第１のコンピュータにおいて、第１の時刻に、物品の特定部分を撮影した第１の画像に基づいて第１の認証情報を生成し、前記第１の時刻と関連付けるステップと、前記第２のコンピュータにおいて、第２の時刻に、物品の特定部分を撮影した第２の画像に基づいて第２の認証情報を生成し、前記第２の時刻と関連付けるステップと、前記第２のコンピュータにおいて、前記第２の認証情報を前記第１のコンピュータに送信するステップと、前記第１のコンピュータにおいて、前記第１の認証情報と前記第２の認証情報とが類似する場合、前記第１の時刻を前記第２の認証情報と関連付けるステップと、前記第１のコンピュータおよび前記第２のコンピュータにおいて、第３のコンピュータから、第３の認証情報を含むトレーサビリティ提供の要求を受信するステップと、前記第３の認証情報と前記第２の認証情報とが類似する場合、受信された前記要求に応答して、前記第２の認証情報に関連付けられた時刻の情報を前記第３のコンピュータに提供するステップとを含む。
【００１５】
ここで、前記第３のコンピュータにおいて、前記第３の認証情報を、該第３の認証情報を生成した第３の時刻と関連付けるステップと、前記第１のコンピュータにおいて、前記第１の認証情報と前記第３の認証情報とが類似する場合、前記第１の時刻を前記第３の認証情報と関連付けるステップと、前記第２のコンピュータにおいて、前記第２の認証情報と前記第３の認証情報とが類似する場合、前記第２の時刻を前記第３の認証情報と関連付けるステップとをさらに含むものとすることができる。
【００１６】
さらに、前記第１のコンピュータ、前記第２のコンピュータ、および前記第３のコンピュータにおいて、第４のコンピュータから、第４の認証情報を含むトレーサビリティ提供の要求を受信するステップと、前記第４の認証情報と前記第３の認証情報とが類似する場合、受信された前記要求に応答して、前記第３の認証情報に関連付けられた時刻の情報を前記第４のコンピュータに提供するステップとをさらに含むものとすることができる。
【００１７】
本発明の他の態様によれば、本発明に係るトレーサビリティ提供装置は、物品のトレーサビリティを提供するトレーサビリティ提供装置であって、第１の時刻に、物品の特定部分を撮影した第１の画像に基づいて第１の認証情報を生成し、前記第１の時刻と関連付ける手段と、第２の認証情報を受信する手段と、前記第１の認証情報と前記第２の認証情報とが類似する場合、前記第１の時刻を前記第２の認証情報と関連付ける手段と、前記第２の認証情報に関するトレーサビリティ提供の要求を受信する手段と、トレーサビリティ提供の要求に応答して、前記第２の認証情報に関連付けられた第１の時刻を提供する手段とを備える。
【００１８】
本発明の他の態様によれば、本発明に係るトレーサビリティ提供方法は、トレーサビリティ提供装置が実行する物品のトレーサビリティ提供方法であって、第１の時刻に、物品の特定部分を撮影した第１の画像に基づいて第１の認証情報を生成し、前記第１の時刻と関連付けるステップと、第２の認証情報を受信するステップと、前記第１の認証情報と前記第２の認証情報とが類似する場合、前記第１の時刻を前記第２の認証情報と関連付けるステップと、前記第２の認証情報に関するトレーサビリティ提供の要求を受信するステップと、トレーサビリティ提供の要求に応答して、前記第２の認証情報に関連付けられた第１の時刻を提供するステップとを備える。
【００１９】
本発明の他の態様によれば、本発明に係るコンピュータプログラムは、コンピューティングシステムを、上記のトレーサビリティ提供システムとして機能させる。
【００２０】
本発明の他の態様によれば、本発明に係るコンピュータプログラムは、コンピュータを、上記のトレーサビリティ提供装置として機能させる。
【発明の効果】
【００２１】
本発明によれば、流通経路の中で関与する当事者に統一された仕組みを提供することで、データベースサーバを設けてリレーショナルデータベースを構築しなくても、物品が通ってきた流通経路の履歴に関する情報を追跡し、対象物のトラックアンドトレースを行うことができる。結果として、流通過程における不正な物品の混入（コンタミネーション）を容易に特定することが可能となる。
【００２２】
また、消費者においても、データベースの構築側と同様の認証情報を生成する仕組みを用いて、物品の履歴に関する情報を取得することができる。
【００２３】
さらに、物品を構成する各部品についても、その履歴を追跡することが可能となる。
【図面の簡単な説明】
【００２４】
【図１】本発明の一実施形態に係る光情報の差分を算出する詳細な一例を説明するための図である。
【図２】本発明の一実施形態に係る光情報の差分を算出する詳細な一例を説明するための図である。
【図３】本発明の一実施形態に係る個体差認証形状の抽出処理を説明するための図である。
【図４】本発明の一実施形態に係る予め抽出された個体差認証形状を用いて行う認証処理を説明するための図である。
【図５】本発明の一実施形態に係るトレーサビリティ提供システムのネットワーク構成を示すブロック図である。
【図６】認証サーバに記憶される情報の例を示す図である。
【図７】認証サーバに記憶される情報の例を示す図である。
【図８】認証サーバに記憶される情報の例を示す図である。
【図９】認証サーバに記憶される情報の例を示す図である。
【図１０】認証サーバに記憶される情報の例を示す図である。
【図１１】本発明の一実施形態に係るクライアントにトレーサビリティ情報を提供する方法を説明する図である。
【図１２】ユーザ端末に提供されるトレーサビリティ情報の例を示す図である。
【図１３】トレーサビリティ提供システムのネットワーク構成を示す図である。
【図１４】本発明の一実施形態に係る認証サーバの機能構成を示すブロック図である。
【図１５】本発明の一実施形態に係るトレーサビリティ提供サーバの機能構成を示すブロック図である。
【図１６】本発明の一実施形態に係るユーザ端末の機能構成を示すブロック図である。
【図１７】本発明の一実施形態に係るトレーサビリティ提供方法のデータフローを示す図である。
【図１８】本発明の一実施形態に係るトレーサビリティ提供方法のデータフローを示す図である。
【図１９】本発明の一実施形態に係るトレーサビリティ提供システムにおいて、ユーザ端末が本発明に係る方法を実装する手順を示す図である。
【図２０】本発明の一実施形態に係るトレーサビリティ提供システムにおいて、認証サーバが本発明に係る方法を実装する手順について説明する図である。
【発明を実施するための形態】
【００２５】
以下、図面を参照し、本発明の実施の形態について詳細に説明する。
【００２６】
（認証情報の生成処理）
本実施形態では、認証情報として、光情報の差分から個体差認証情報を生成する方法を応用してマッチングを行う（例えば、特許文献４参照）。
【００２７】
図１は、光情報の差分の算出の詳細な一例を説明するための図である。まず、各イメージデータＡ ２２０１、イメージデータＢ ２２０２に対して被写体を写像する位置が重なり合うように座標の変換値を求める。次に、各イメージデータＡ、Ｂを変換した結果、対応するピクセルの光情報（この例では、RBG成分）を比較し、その差を計算する。より具体的には、図１に示すように仮想的なイメージデータＰ  ２２０３を形成し、イメージデータＰ ２２０３の各点からイメージデータＡ、Ｂの対応する点を求める。重ね合わせをしても、ピクセルレベルでは、イメージデータＡとＢとは完全に一致することはなく、イメージデータＡ２２０５のあるピクセルは、イメージデータＢ  ２２０６の複数のピクセルと重なる。
【００２８】
このようにして、解像差は、例えば、図２に示すように各重なりあう位置におけるRGB各成分毎の差の絶対値の総和で表すことができる。重ね合わせの結果、A,B のイメージデータ１６０１，１６０２の物理対応位置に相当する各ピクセル値をRGB 成分毎に比較し、その差分を色表現したものが光情報の差分C １６０３となる。
【００２９】
以上のようにして得られた解像差は、対象に固有な特徴が反映されることから対象に一意な属性を有し、同一対象に対しさらに複数回読取って抽出して得られた結果同士に一定の相関関係が存在することとなる。この関係をより明確にして対象の認証を可能にするため、得られた解像差から不安定再現要素点の連結を行う。具体的には、図３に示すように、図２において光情報の差分を求めるために重ね合わせを行った各イメージデータの変換値から、重なり合うピクセル位置をピクセル中心点に写像される被写体の物理位置(３次元位置)に変換し、その中点を個体差を表す折れ線形状の連結線を構成する各連結点の位置情報として採用する。例えば、図１に示す手順において、連結点は、１つのピクセルの中心点２２０９と、対応する複数のピクセルの中心点の中心２２１０との中点２２１１とすることができる。
【００３０】
図３において、光情報の差分C  １７０１を、光情報の差分の値の順に並べ替え、その先頭から差分の計算に使用した２つのイメージデータの対応するピクセルの中心位置に写像される被写体の物理位置A’、B’・・・を求める。その中点(X,Y,Z軸の平均位置)の位置情報をLとし、画像１７０２に示すように走査領域のイメージデータから得られた個体差を表す連結線を生成する。以下、このような連結線あるいは連結線を示す画像をヒトフデガキ線画と呼ぶ。
【００３１】
本実施形態では、この個体差情報を用いて対象の同一性に関する認証を行うが、以上説明した個体差情報、及びその抽出方法は、本発明の一手法に過ぎない。
【００３２】
（対象の認証処理）
上記で得られた個体差情報から対象を認証する一手法を説明する。まず、その前提として、図４を参照し、光情報の差分の大きい順に並べた連結点の位置情報が、同一の対象についてのものの場合、一定の類似性を有することを説明する。
【００３３】
図４に示すように、対象１５０２は予めスキャナ等の個体差情報認証デバイスで複数回読取られたイメージデータから、画像に示す連結線で表されるような個体差情報が抽出され、データベース等の記憶手段に記憶されている。ここで、対象をさらにカメラ等の個体差情報認証デバイスで複数回走査し、画像８０２に示すように、予め抽出した画像８０１に示すヒトフデガキ線画に従って、ヒトフデガキ線画の連結位置が重ね合わせたピクセルと対応する位置の光情報の差分を求め、具体的には連結の順番に従って連結位置を比較する。この比較の結果、このヒトフデガキ線画は、解像差に個体差が反映されることから、図４に示すように全く同一にはならないものの、例えば画像８０１に示すヒトフデガキ線画上の点と、画像８０２の点とで、不安定再現要素点の順位に一定の再現性を持ち、ヒトフデガキ線画８０３を得ることができる。このため、同一の対象について得られたヒトフデガキ線画同士では、対応する連結位置の連結順位に再現性が存在することとなるので、順位が一致する程度により同一性を判定することができる。
【００３４】
（第１実施形態）
図５は、本発明の第１実施形態に係る認証情報の生成方法を実施するシステムの構成図である。
【００３５】
同図において、認証サーバ１００２−１、認証サーバ１００４−１および認証サーバ１００６−１は、ネットワーク１０００を介して相互に通信するように接続されている。
【００３６】
認証サーバ１００２−１は商品の製造者、認証サーバ１００４−１は商品の配送者、認証サーバ１００６−１は商品の販売者により管理されるサーバコンピュータである。
【００３７】
認証サーバ１００２−１、認証サーバ１００４−１および認証サーバ１００６−１はそれぞれ撮像デバイス１００２−２、１００４−２および１００６−２を有し、当該撮像デ
バイスにより商品を撮影し、撮影された画像に基づいて商品の個別の特徴であるヒトフデコードを生成し登録する機能を有する。
【００３８】
図６は、図５の各サーバに記憶される情報の例を示し、（ａ）は認証サーバ１００２−１に記憶された情報、（ｂ）は認証サーバ１００４−１に記憶された情報、（ｃ）は認証サーバ１００６−１に記憶された情報をそれぞれ示す。認証サーバに記憶される情報は、日付（ヒトフデガキ線画を生成した日時）と、記憶装置における記憶領域のアドレスと、ヒトフデガキ線画の情報（ヒトフデコード）とを含んでいる。なお、認証サーバのユーザ（業者）に固有の情報を更に含むこととしても良い。
【００３９】
このような構成において、まず、製造された商品が出荷される際に、認証サーバ１００２−１において当該商品の特定部分を複数回撮影し、当該撮影された複数の画像に基づいてヒトフデコードを生成する。このヒトフデコードは、当該ヒトフデコードを生成した日時（Ｄａｔｅ１）およびアドレス（サーバＡのアドレスａ）と関連付けられて認証サーバ１００２−１に登録される。ここで最初に登録されたヒトフデコードが原本となる。
【００４０】
次いで、商品が配送される際に、認証サーバ１００４−１において当該商品の特定部分を複数回撮影し、当該撮影された複数の画像に基づいて新たなヒトフデコードを生成する。このヒトフデコードは、当該ヒトフデコードを生成した日時（Ｄａｔｅ２）およびアドレス（サーバＢのアドレスｂ）と関連付けられて認証サーバ１００４−１に登録される。
【００４１】
次いで、認証サーバ１００４−１は、新たに生成されたヒトフデコードを認証サーバ１００２−１に送信して、認証サーバ１００２−１に対し、新たに生成されたヒトフデコードと、認証サーバ１００２−１に格納されているヒトフデコードとを比較するよう指示する。ここで、認証サーバ１００４−１が他の端末に記憶された情報を検索するロボット型サーチエンジンの機能を有する場合、当該機能に対し、認証サーバ１００２−１を検索するよう設定することとしても良い。あるいは、ロボット型サーチエンジンの機能を他のサーバに持たせても良い。この場合、認証サーバ１００４−１は当該他のサーバに照会して、ヒトフデコードの原本を格納している認証サーバ１００２−１のアドレスの情報を取得した後、このアドレスを使用して認証サーバ１００２−１にアクセスし、ヒトフデコードの比較を指示する。
【００４２】
上記比較の結果、２つのヒトフデコードが類似する場合に、認証サーバ１００２−１は、比較されたヒトフデコードに対応する商品が同一であると判断する。具体的には、連結位置の順位が一致する程度が所定の閾値を超える場合に、比較される２つのヒトフデコードが類似すると判断することができる。
【００４３】
このようにして同一性が認められた認証サーバ１００４−１により生成されたヒトフデコード(２，４，６，８，９)を原本とする。この場合、認証サーバ１００２−１は、登録されている認証情報の原本に関する情報を更新する。
【００４４】
例えば、図７に示すように、認証サーバ１００２−１は、自身に格納された認証情報からヒトフデコード（１，２，３，４，５，６，７，８，９，０）を削除し、認証サーバ１００４−１の記憶装置における原本のアドレス（サーバＢのアドレスｂ）を記憶する。
【００４５】
ここで、図８に示すように、認証サーバ１００２−１は、ヒトフデコード（１，２，３，４，５，６，７，８，９，０）を、認証サーバ１００４−１の認証情報内のヒトフデコード(２，４，６，８，９)で上書きすることとしてもよい。
【００４６】
また、図９で示すように、認証サーバ１００２−１は、ヒトフデコード（１，２，３，４，５，６，７，８，９，０）に、認証サーバ１００４−１の認証情報内のヒトフデコード(２，４，６，８，９)を新たな原本として追加することとしてもよい。
【００４７】
このように、新たに生成されたヒトフデコードを原本とすることにより、対象の経年劣化、破損などの変化の様態に対応することができる。
【００４８】
商品が販売される際、認証サーバ１００６−１において当該商品の特定部分を複数回撮影し、当該撮影された複数の画像に基づいてヒトフデコードを生成する。このヒトフデコードは、当該ヒトフデコードを生成した日時（Ｄａｔｅ３）およびアドレス（サーバＣのアドレスｃ）と関連付けられてサーバ１００６−１に登録される。この場合も同様に、認証サーバ１００６−１は、新たに生成されたヒトフデコードを認証サーバ１００２−１および認証サーバ１００４−１に送信し、新たに生成されたヒトフデコードと、登録された認証情報とを比較するよう指示する。
【００４９】
そして、図１０に示すように、認証サーバ１００６−１では自身で生成された認証情報を原本として記憶する一方、認証サーバ１００２−１および１００４−１では、各々が商品の特定部分を撮影した日時に原本のアドレス(サーバＣのアドレスｃ)の画像を関連付けることができる。
【００５０】
このように、個体差を参照する度に常にデータを登録し、その記録を、登録日、アドレス、および新しいヒトフデコードとすることで、同一の対象を参照したことが保証できる。つまり、対象が経年劣化等により変化しベクター形状が変化した場合であっても対象の同一性を判断することができる。一方、個体差認証によれば、ベクター形状の改ざんや、合成、生成ができないため、原本によって保証された商品の場所とその場所にあった日時が記憶できる。したがって、ベクター形状の登録と参照の軌跡を追うこと、つまり、商品のトレースバックが可能となる。
【００５１】
この特性を用いた認証を複数の箇所で行う場合、原本の参照および記録を、原本登録を行った場所以外(時間、場所)で行う。ここで、登録ログの新しいものから順番に古いヒトフデコードで、一致するものをマッチングすれば、付帯する情報（誰が認証情報を登録したか、いつ登録したか、どこで登録したか）を得ることができ、トレーサビリティを自動的に構築し、対象物のトラックアンドトレースを実現することができる。
【００５２】
図１１は、クライアントへトレーサビリティを提供する方法を説明する図である。
【００５３】
同図において、ユーザ端末１０８はクライアントとして機能する。ユーザ端末１０８は、撮像デバイス４１２を用いて購入商品の特定部分を複数回撮影する。次いで、撮影した特定部分の複数の画像に基づいてヒトフデコードを生成する。次いで、生成されたヒトフデコードを、ネットワーク１０００を介して認証サーバ１００２−１、１００４−１、１００６−１へ送信し、トレーサビリティの提供を要求する（（１）〜（４））。
【００５４】
次いで、トレーサビリティの提供の要求を受信した認証サーバ１００２−１、１００４−１、１００６−１が、ユーザ端末１０８からのヒトフデコードと、登録されたヒトフデコードの原本とを比較する。
【００５５】
認証サーバ１００２−１において、ユーザ端末１０８からのヒトフデコードと、登録されたヒトフデコードの原本とが類似すると判定された場合、ヒトフデコードの原本に関連付けられた日時（Ｄａｔｅ１）を認証サーバ１００２−１の識別情報（ＩＤ）と共にユーザ端末１０８に送信する（（５）、（８））。
【００５６】
また、認証サーバ１００４−１において、ユーザ端末１０８からのヒトフデコードと、登録されたヒトフデコードの原本とが類似すると判定された場合、ヒトフデコードの原本に関連付けられた日時（Ｄａｔｅ２）を認証サーバ１００４−１の識別情報（ＩＤ）と共にユーザ端末１０８に送信する（（６）、（８））。
【００５７】
また、認証サーバ１００６−１において、ユーザ端末１０８からのヒトフデコードと、登録されたヒトフデコードの原本とが類似すると判定された場合、ヒトフデコードの原本に関連付けられた日時（Ｄａｔｅ３）を認証サーバ１００６−１の識別情報（ＩＤ）と共にユーザ端末１０８に送信する（（７）、（８））。
【００５８】
そして、ユーザ端末１０８において、受信した日時（Ｄａｔｅ１）および対応する認証サーバ１００２−１のＩＤ、受信した日時（Ｄａｔｅ２）および対応する認証サーバ１００４−１のＩＤ、および自身に記憶された日時（Ｄａｔｅ３）および対応する認証サーバ１００６−１のＩＤに基づいて図１２の例に示すリストを生成し、購入商品のトレーサビリティ情報として表示させる。
【００５９】
なお、各認証サーバは、ＩＤに代えて、またはＩＤと共に、自身のアドレスや業者名の付加情報を送ることとしても良い。この場合、ユーザ端末１０８は、日時と対応付けて種々の付加情報を表示させることができる。
【００６０】
また、トレーサビリティ情報は日時のみを列挙した一覧表であってもよい。
【００６１】
さらに、ユーザ端末１０８は認証サーバとして機能しても良い。この場合、ユーザ端末１０８によって生成されたヒトフデコードは、当該ヒトフデコードを生成した日時（Ｄａｔｅ４）およびアドレス（サーバＤのアドレスｄ）と関連付けられてユーザ端末１０８に登録される。ここで登録されたヒトフデコードが原本となる。認証サーバ１００２−１、１００４−１、１００６−１は、ユーザ端末１０８によって生成されたヒトフデコードが原本であることを示す情報（例えば、原本がサーバＤのアドレスｄに記憶されていること）を登録する。このような構成において、追加のコンピュータが、撮像デバイスを用いて購入商品の特定部分を複数回撮影する。次いで、撮影した特定部分の複数の画像に基づいてヒトフデコードを生成する。次いで、生成されたヒトフデコードを、ネットワーク１０００を介して認証サーバ１００２−１、１００４−１、１００６−１、ユーザ端末１０８へ送信し、トレーサビリティの提供を要求する。次いで、トレーサビリティの提供の要求を受信した認証サーバ１００２−１、１００４−１、１００６−１、ユーザ端末１０８が、追加のコンピュータからのヒトフデコードと、登録されたヒトフデコードの原本とを比較する。そして、比較結果に応じて、上述したように、ヒトフデコードの原本に関連付けられた日時を、ＩＤと共に追加のコンピュータに送信する。
【００６２】
（第２実施形態）
図１３は、本発明の第２実施形態に係るトレーサビリティ提供システムのネットワーク構成を示す図である。
【００６３】
同図において、トレーサビリティ提供サーバ１１０には、認証サーバ１１２−３、１１２−４および１１２−８が登録されており、ユーザ端末１０８−１から認証情報を受信した場合には、これら認証サーバ１１２−３、１１２−４および１１２−８に直接認証情報を送信する。
【００６４】
認証サーバ１１２−３は、撮像デバイス２１２−３によって撮影された画像に基づいて認証情報を生成し、内部の記憶装置に記憶している。認証サーバ１１２−４は、撮像デバイス２１２−４によって撮影された画像に基づいて認証情報を生成し、内部の記憶装置に記憶している。
【００６５】
認証サーバ１１２−８は、さらに他の認証サーバ１１２−１０と接続されている。認証サーバ１１２−１０には、さらに認証サーバ１１２−６、１１２−７および１１２−９と接続されている。認証サーバ１１２−６〜９はそれぞれ認証情報を記憶している。
【００６６】
認証サーバ１１２−６、１１２−７には撮像デバイス２１２−１が接続されている。
【００６７】
デバイスキー提供サーバ７０２は、本実施形態に係るトレーサビリティ提供サービスに登録したユーザに対し、撮像デバイスを使用可能にするための認証キー（デバイスキー）を提供する。
【００６８】
プログラム提供サーバ７０４は、本実施形態に係るトレーサビリティ提供サービスに登録したユーザに対し、トレーサビリティ提供方法を実行するためのコンピュータプログラムを提供する。
【００６９】
ユーザ端末１０８−１は撮像デバイス４１２−１に接続されている。この撮像デバイス４１２−１は、ユーザ端末１０８−１およびユーザ端末１０８−２により共用される。ユーザ端末１０８−２には、複数の撮像デバイス４１２−１、４１２−２が接続される。ユーザ端末１０８−２は、生成した認証デバイスを認証サーバ１１２−５に送信して登録させるように構成することができる。
【００７０】
次に、図１４、１５および１６を参照し、トレーサビリティ提供システムを構成する認証サーバ、トレーサビリティ提供サーバおよびユーザ端末の機能構成について説明する。
【００７１】
図１４は、認証サーバの機能構成を示すブロック図である。
【００７２】
認証サーバ１１２は、少なくとも通信部２０２、通信制御部２０３、記憶部２０４、マッチング部２０６、周辺デバイス制御部２０８、認証情報生成部２１０、入力部２２０、および表示部２２４を含んでいる。
【００７３】
通信部２０２は、ネットワークを介して当該ネットワークに接続されたノード（コンピューティングデバイス）と情報の送信および受信を行うとともに、周辺デバイスとの情報の送信および受信を行うように構成される。ここで、周辺デバイスには、後述する撮像デバイスが含まれる。通信部２０２は、例えばネットワークを介した通信に用いられるモデム、ネットワークカード、およびメモリやプリンタ等の周辺デバイスを接続するためのＵＳＢインタフェース、ブルートゥースや赤外線通信等の種々の通信インタフェースを用いて構成することができる。
【００７４】
通信制御部２０３は、通信部２０２を制御して、他のコンピューティングデバイスと通信接続を確立し、当該他のコンピューティングデバイスに処理を要求する。記憶部２０４は、認証情報を付加情報と対応付けて記憶するものである。マッチング部２０６は、ユーザ端末１０８から受信した認証情報と、記憶部２０４に予め記憶された認証情報との突合せを行う。周辺デバイス制御部２０８は、認証サーバに接続された撮像デバイス２１２、ディスプレイ、プリンタ、外部記憶装置等の周辺デバイスを制御するものである。認証情報生成部２１０は、撮像デバイス２１２により撮影された画像に基づいて認証情報を生成するものである。認証情報は、例えば特許文献３に記載されているような、撮影された画像をメッシュ区分ごとの色情報として読み取り、この色情報から複数個の特徴点の座標を抽出した情報とすることができる。あるいは、認証情報は、特許文献４に記載されているように、対象を撮影して画像を取得し、得られた画像から算出された光情報であってもよい。入力部２２０は、ユーザの操作により情報の入力を受けるものである。表示部２２４は、マッチング部２０６、認証情報生成部２１０における情報処理の結果や入力部２２０により入力された情報を出力するように構成される。
【００７５】
認証サーバ１１２に接続された撮像デバイス２１２は、少なくとも画像を撮影する撮像部２１４、およびユーザ端末１０８に画像を送信する通信部２１８を含んでいる。
【００７６】
撮像デバイス２１２により撮影される物品における特定の部分は、流通過程において共通して用いられるように規定される。例えば、ペットボトル飲料の場合には印刷されたロゴマーク、商標、ブランドマーク、バーコード等を用いることができる。さらに、印影、サイン等の種々の図形を特定の部分として規定することができる。
【００７７】
物品の特定の部分は、３次元の形状の一部を用いることとしてもよい。
【００７８】
また、物品が複数の部分から構成される場合には、部品ごとに特定の部分を規定してもよい。例えば、パッケージングされた飲料の場合にはラベルおよびキャップにそれぞれ特定の部分を設けることとしてもよい。
【００７９】
このような構成により、例えば物品の製造会社において管理される認証サーバ１１２の場合、当該認証サーバのオペレータは、撮像デバイス２１２を用いて物品の特定部分の画像を撮影する。撮影された画像は、通信部２１８を通じてユーザ端末１０８へ送信される。認証サーバ１１２の認証情報生成部２１０では、撮像デバイス２１２から受信された画像に基づいて認証情報を生成する。生成された認証情報は、付加情報（認証情報を生成した日時等）と対応付けて記憶部２０４に記憶する。
【００８０】
また、認証サーバ１１２がトレーサビリティ提供サーバ１１０から認証情報を受信した場合には、マッチング部２０６において、この受信した認証情報と、記憶部２０４に予め記憶された情報とのマッチングを行う。マッチングの結果認証情報が一致した場合には、認証サーバ１１２は、一致した認証情報と対応付けられた付加情報を、トレーサビリティ提供サーバ１１０に返送することができる。
【００８１】
図１５は、トレーサビリティ提供サーバの機能構成を示すブロック図である。
【００８２】
同図に示すように、トレーサビリティ提供サーバ１１０は、少なくとも通信部３０２、一覧作成部３０４、通信制御部３０６、記憶部３０８、入力部３１０、および表示部３１２を含んでいる。
【００８３】
通信部３０２は、ネットワークに接続されたノードとデータの送信および受信を行うように構成される。一覧作成部３０４は、認証サーバ１１２から受信した複数の付加情報を集約して一覧表を作成する。作成された一覧表は、通信制御部３０６が通信部３０２を制御することにより、ユーザ端末１０８−１、１０８−２へ提供する。通信制御部３０６は、通信部３０２を制御して、他のコンピューティングデバイスと通信接続を確立し、当該他のコンピューティングデバイスに処理を要求する。この要求には、認証サーバ１１２へのマッチング処理の要求等が含まれる。記憶部３０８は、認証サーバ１１２における情報処理に必要な種々の情報を記憶するものである。入力部３１０は、ユーザの操作により情報の入力を受けるものである。表示部３１２は、入力部２２０により入力された情報等を出力するように構成される。
【００８４】
このような構成により、ユーザ端末１０８−１、１０８−２から認証情報を受信したトレーサビリティ提供サーバ１１０では、通信制御部３０６により通信部３０２を制御して認証サーバ１１２へこの認証情報を送信し、認証情報のマッチングを要求する。
【００８５】
次いで、トレーサビリティ提供サーバ１１０は、認証サーバ１１２からマッチした認証情報に対応する付加情報を受信すると、一覧作成部３０４において付加情報の一覧表を作成する。通信制御部３０６は通信部３０２を制御して、ユーザ端末１０８−１、１０８−２に一覧表を送信する。
【００８６】
図１６は、本発明の実施形態に係るユーザ端末の機能構成を示す図である。同図に示すユーザ端末１０８は、少なくとも、無線通信部４０２、記憶部４０４、無線通信制御部４０６、周辺デバイス制御部４０８、認証情報生成部４１０、入力部４２０、および表示部４２２を含んでいる。
【００８７】
無線通信部４０２は、ネットワークに接続されたノードと情報の送信および受信を行うとともに、周辺デバイスとの情報の送信および受信を行うように構成される。ここで、周辺デバイスには、後述する撮像デバイスが含まれる。周辺デバイスとの通信には、例えばブルートゥース（登録商標）、赤外線通信等の周知の短距離無線通信技術を適用することができる。記憶部４０４は、認証情報を付加情報と対応付けて記憶するものである。通信制御部４０６は、無線通信部４０２を制御して、他のコンピューティングデバイスと通信接続を確立し、当該他のコンピューティングデバイスに処理を要求する。周辺デバイス制御部４０８は、ユーザ端末１０８に接続された撮像デバイス４１２等の周辺デバイスを制御するものである。認証情報生成部４１０は、撮像デバイス４１２により撮影された画像に基づいて認証情報を生成するものである。入力部４２０は、ユーザの操作により情報の入力を受けるものである。表示部４２２は、通信部４０２により受信した情報、認証情報生成部４１０における情報処理の結果および入力部４２０により入力された情報を出力するように構成される。
【００８８】
ユーザ端末１０８に接続された撮像デバイス４１２は、少なくとも画像を撮影する撮像部４１４、およびユーザ端末１０８に画像を送信する通信部４１８を含んでいる。
【００８９】
このような構成により、ユーザ端末１０８のユーザは、撮像デバイス４１２を用いて物品の特定部分の画像を撮影する。撮影された画像は、通信部４１８を通じてユーザ端末１０８へ送信される。ユーザ端末１０８では、撮像デバイス４１２から受信された画像に基づいて認証情報を生成する。生成された認証情報は、付加情報と対応付けて記憶部４０４に記憶する。
【００９０】
本実施形態に係るユーザ端末、認証サーバおよびトレーサビリティ提供サーバの諸機能は、後述する処理を実現するプログラムのプログラムコードを記録したハードディスクから、ＣＰＵがそのプログラムコードを読み出して実行することにより達成されるものである。
【００９１】
このような実現方法において、ハードディスクに加えて、光磁気ディスク、光ディスク、ＣＤ−ＲＯＭ、ＣＤ−Ｒ、磁気テープ、不揮発性のメモリカード、ＲＯＭ等により構成されるプログラムメモリを接続し、記憶部としての機能を実装することとしてもよい。
【００９２】
次に、図１７を参照し、本実施形態に係るトレーサビリティ提供システムにおいて、ユーザ端末が本発明に係る方法を実装する手順について説明する。
【００９３】
まず、ユーザ端末１０８−１のユーザがトレーサビリティ提供サーバ１１０に接続し、トレーサビリティ提供サービスに登録するために必要な情報を送信する（（１））。この情報は、ユーザ端末１０８−１の機種に関する情報、ユーザ端末のネットワーク上のアドレスに関する情報、ユーザに関する情報、および撮像デバイスに関する情報（機種の情報、識別情報等）を含むことができる。トレーサビリティ提供サーバ１１０は、受信した情報を登録するとともに、プログラム提供サーバ７０４に提供する（（２））。プログラム提供サーバ７０４は、登録情報をデバイスキー提供サーバ７０２に送信する（（３））。登録情報を受信したデバイスキー提供サーバ７０２は、受信した情報により特定される撮像デバイスを動作させるためのデバイスキーをプログラム提供サーバ７０４に送信する（（４））。プログラム提供サーバ７０４は、受信したデバイスキーとプログラムとを、ユーザ端末１０８−１に提供する（（５））。
【００９４】
ユーザ端末１０８−１は、受信したプログラムおよびデバイスキーを内部の記憶装置に記憶する。そして、ユーザ端末１０８−１のプロセッサは、当該記憶されたプログラムを実行することにより、デバイスキーを用いて撮像デバイス４１２−１との接続を確立する。
【００９５】
次に、図１８を参照し、本実施形態に係るトレーサビリティ提供システムにおいて、認証サーバが本発明に係る方法を実装する手順について説明する。
【００９６】
認証サーバにおけるトレーサビリティ提供方法を実施するための準備は、ユーザ端末の場合と同様に行うことができる。例えば、認証サーバ１１２−６のユーザが認証サーバ１１２−１０、１１２−８を介してトレーサビリティ提供サーバ１１０に接続し、トレーサビリティ提供サービスに登録するために必要な情報を送信する（（１）〜（３））。トレーサビリティ提供サーバ１１０は、受信した情報を登録するとともに、プログラム提供サーバ７０４に登録情報を送信する（（４））。プログラム提供サーバ７０４は、登録情報をデバイスキー提供サーバ７０２に送信する（（５））。登録情報を受信したデバイスキー提供サーバ７０２は、受信した情報により特定される撮像デバイスを動作させるためのデバイスキーをプログラム提供サーバ７０４に送信する（（６））。プログラム提供サーバ７０４は、受信したデバイスキーとプログラムとを、トレーサビリティ提供サーバ１１０を介して認証サーバ１１２−６に提供する（（７）〜（１０））。そして、認証サーバ１１２−６のプロセッサは、当該記憶されたプログラムを実行することにより、デバイスキーを用いて撮像デバイスとの接続を確立する。
【００９７】
次に、図１９を参照し、本実施形態に係るユーザ端末がトレーサビリティ情報を要求する手順について説明する。
【００９８】
まず、ユーザ端末１０８−１のユーザにおいて、撮像デバイス４１２−１を用いて物品の特定の部分を撮影し、ユーザ端末１０８−１へ送信する（（１））。ユーザ端末１０８−１では、受信した画像に基づいて認証情報を生成し、トレーサビリティ提供サーバ１１０へ送信する（（２））。トレーサビリティ提供サーバ１１０は、認証サーバ１１２−４、１１２−３、１１２−８に認証情報を送信し、これら認証サーバの各々に登録された認証情報の原本と、ユーザ端末１０８からの認証情報に基づくトレーサビリティ情報の提供を要求する（（３）、（４）、（５））。認証サーバ１１２−４、１１２−３、１１２−８は、登録された認証情報の原本と受信した認証情報とを比較する。比較の結果、認証情報が類似する場合は、認証情報に係る物品が同一であると判断する。
【００９９】
上記比較において、認証サーバ１１２−８において類似する認証情報の原本が見つかった場合、当該認証情報の原本を、さらに認証サーバ１１２−１０へ送信し、関連する付加情報を要求する（（６））。認証サーバ１１２−１０は、受信した認証情報の原本をさらに認証サーバ１１２−９、１１２−７、１１２−６へ送信し、関連する付加情報を要求する（（７）、（８）および（９））。
【０１００】
次に、図２０を参照し、認証サーバから提供される情報に基づいてユーザ端末のユーザにトレーサビリティ情報を提供する手順について説明する。
【０１０１】
各認証サーバでは、受信した認証情報の原本に関連付けられた付加情報を取得する。具体的には、図６に示すように記憶されているアドレスを参照して、認証情報を取得し、受信した認証情報との比較を行う。比較の結果、認証情報の原本と受信した認証情報とが一致した場合には、当該認証情報に関連付けられた付加情報を取得してトレーサビリティ提供サーバ１１０へ返送する。登録していた認証情報と受信した認証情報とが一致しない場合には、その旨を示す情報を返送する（（１）〜（７））。
【０１０２】
トレーサビリティ提供サーバ１１０は、各認証サーバから受信した付加情報に基づいて一覧表を作成する（（８））。作成された一覧表は、トレーサビリティ提供サーバ１１０からユーザ端末１０８へ送信される。ユーザ端末１０８は、受信した一覧表を表示部に表示する。
【０１０３】
なお、ユーザ端末１０８−１で作成した認証情報を原本として登録することとしても良い。この場合、ユーザ端末１０８−１は、原本と付加情報（認証情報を生成した日時等）とを関連付けて記憶することができる。各認証サーバは、ユーザ端末１０８−１に記憶された認証情報が対象物品の認証情報の原本であることを示す情報を登録する。
【０１０４】
また、ユーザ端末１０８−１は認証サーバとして機能することとしても良い。
【０１０５】
以上、本発明の実施形態について詳細に説明してきたが、本発明はこれら実施形態に限定されるものではなく、その他の変更及び変形が特許請求の範囲によって定義された本発明の範囲から逸脱することなく、当業者によってなされ得ることに留意されたい。 
【産業上の利用可能性】
【０１０６】
本発明は、パッケージングされた物品の製造段階から消費段階、さらには廃棄段階までのトラックアンドトレースを実現する技術に適用することができる。
【符号の説明】
【０１０７】
１００  トレーサビリティ提供システム
１０８  ユーザ端末
１１０  トレーサビリティ提供サーバ
１１２、１１２−１、１１２−２、１１２−３、１００２−１、１００４−１、１００６−１  認証サーバ
【図５】
2016031644.tif 000003
【図６】
2016031644.tif 000004
【図７】
2016031644.tif 000005
【図８】
2016031644.tif 000006
【図９】
2016031644.tif 000007
【図１０】
2016031644.tif 000008
【図１１】
2016031644.tif 000009
【図１２】
2016031644.tif 000010
【図１３】
2016031644.tif 000011
【図１４】
2016031644.tif 000012
【図１５】
2016031644.tif 000013
【図１６】
2016031644.tif 000014
【図１７】
2016031644.tif 000015
【図１８】
2016031644.tif 000016
【図１９】
2016031644.tif 000017
【図２０】
2016031644.tif 000018
【図１】
2016031644.tif 000019
【図２】
2016031644.tif 000020
【図３】
2016031644.tif 000021
【図４】
2016031644.tif 000022